(57)【要約】  電子機器１の筐体７に取り付けて使用され、前記電子機器１の筐体７から露出して設けられているディスプレイ４の表示面を保護する電子機器のディスプレイ用保護板である。保護板は、板状の透明基体１１と、前記透明基体の下側に設けられたカラーハーフミラー層１２と、前記カラーハーフミラー層１２の下面に設けられた透過・不透過を切り換え可能な透光切り換えフィルム１３と、前記透光切り換えフィルム１３の下面に設けられた増反射膜層２０と、増反射膜層２０の下面に前記ディスプレイの露出部分を除く部分に設けられた裏押さえ層１４とが順次積層して設けられている。
2009008402.tif 000002
【特許請求の範囲】
【請求項１】
電子機器の筐体に取り付けて使用され、前記電子機器の筐体から露出して設けられているディスプレイの表示面を保護する電子機器のディスプレイ用保護板であって、
板状の透明基体と、
前記透明基体の下側に設けられ、チント処理された金属薄膜で構成されたカラーハーフミラー層と、
前記カラーハーフミラー層の下面に設けられ、電気的に透過・不透過を切り換え可能な透光切り換えフィルムと、
前記透光切り換えフィルムの下面に設けられ、高屈折率膜と低屈折率膜とを交互に積層した複合膜である透明な増反射膜層と、
前記増反射膜層の下面に空気層を介さないように密着して設けられ、前記ディスプレイの露出部分を除く部分に設けられた裏押さえ層とが順次積層して構成されている、電子機器のディスプレイ用保護板。
【請求項２】
前記透光切り換えフィルムは、ポリマー分散型液晶フィルムで構成され、電圧の印加により、透明と白色不透明とが切り替わるように構成されている、請求項１に記載の電子機器のディスプレイ用保護板。
【請求項３】
前記透光切り換えフィルムは、電圧印加時に白色不透明であり、非印加時に透明となる、請求項２に記載の電子機器のディスプレイ用保護板。
【請求項４】
前記増反射膜層が、透明無機酸化物からなる誘電体膜を積層したものである請求項１に記載の電子機器のディスプレイ用保護板。
【請求項５】
前記カラーハーフミラー層を、チント処理された金属薄膜に替えて、チント処理された別の増反射膜で構成した請求項１に記載の電子機器のディスプレイ用保護板。
【請求項６】
前記カラーハーフミラー層は透明なフィルムの表面に設けられ、当該フィルムの前記カラーハーフミラー層が設けられていない側の面が前記透明基体の表面に密着するように、前記透明フィルムと前記透明基体とが貼着されることにより形成される、請求項１に記載のディスプレイ用保護板。
【請求項７】
前記裏押さえ層は、黒色のベタパターンで構成されている、請求項１に記載のディスプレイ用保護板。
【請求項８】
筐体表面に請求項１に記載のディスプレイ用保護板を取り付けた電子機器であって、
前記透光切り換えフィルムの透過・不透過を切り換えるフィルム状態切換部と、
前記ディスプレイの表示状態を制御するディスプレイ制御部と、
前記電子機器の状態に応じて前記ディスプレイ制御部とフィルム状態切換部の動作を異ならせる主制御部を有し、
前記電子機器の状態に応じて前記保護板のデザインが異なるように構成された電子機器。
【発明の詳細な説明】
【技術分野】
【０００１】
本発明は、液晶ディスプレイなどのディスプレイを有する電子機器の筐体に取り付けられて、前記ディスプレイの表示面を保護すると共に、前記電子機器に特殊な意匠性を付加することができる電子機器のディスプレイ用保護板及び電子機器に関する。
【背景技術】
【０００２】
携帯電話機、電子手帳などの携帯情報端末（ＰＤＡ）のような小型の表示装置を備える電子機器には、表示装置として、液晶ディスプレイ、有機ＥＬディスプレイ、電界放出型ディスプレイ、プラズマディスプレイなどのフラットパネルディスプレイが用いられている。【０００３】
そして、このディスプレイの表示面を保護するために、プラスチックやガラスなどで構成された保護板を電子機器の筐体に貼り合わせることによって当該ディスプレイの表示面を露出しないようにすることが行われている。【０００４】
この保護板は、ディスプレイの表示面の保護だけではなく、電子機器に意匠性を与えることも目的とされている。特に近年、金属光沢などの特殊な意匠を付した電子機器が望まれており、ディスプレイの表示性能を阻害することなく、全体的に特殊な意匠を付した保護板などが開示されている。【０００５】
例えば、特許文献１には、強化ガラスの一方の面に飛散防止皮膜が貼付され、かつ同一の表面に、文字又は模様の印刷を施したフィルムが貼付されてなる携帯型表示装置用保護板が開示されている。なお、この保護板においてフィルムは、フィルム地の部分にのみ文字又は模様の印刷がなされ、中央部分がくりぬかれた、いわゆる枠形状の部材であって、ガラスとフィルムを貼り付ける両面テープもフィルムと同じ形状を有する枠形状の部材で構成されている。このように中央部がくり抜かれた形状に成型することによって、当該枠状に印刷されている以外の部分において、ディスプレイを見やすくするように構成されている。
【特許文献１】特開２００３−１４０５５８号公報
【発明の開示】
【発明が解決しようとする課題】
【０００６】
しかし、特許文献１に開示された透明窓部分の周囲を隠蔽する柄は、印刷によって設けられているため、低反射の特性を有し、高級感に乏しいものであった。また、この印刷にアルミ蒸着膜を形成すれば、反射率を多少は向上させることができるが、それでも満足できる高級感が得られるものではなかった。【０００７】
また、ディスプレイが配置される中央部には、フィルムが貼付されずその結果、装飾が設けられないため、デザイン上の制約があった。すなわち、電子機器の使用時不使用時にかかわらず、常にディスプレイが外部から視認可能であり、電子機器表面の意匠性に影響を及ぼしていた。【０００８】
さらに、電子機器に設けられるディスプレイは、不使用時には消費電力を少なくするため、画面表示を行わないいわゆる待機状態になっていることが通常である。このとき、上記のようにディスプレイを被覆する部分が透過性であると、外部から表示されていない待機状態のディスプレイが常に視認できる状態になる。この状態は、電子機器にとってデザイン上好ましくなく、また、例えば、電子機器の電源オフ状態と待機状態とで、外観上の区別を付けることもできなかった。【０００９】
したがって、本発明が解決しようとする技術的課題は、ディスプレイの視認性を確保することができ、意匠性に優れた保護板及び電子機器を提供することである。
【課題を解決するための手段】
【００１０】
本発明は、上記技術的課題を解決するために、以下の構成の電子機器のディスプレイ用保護板及び電子機器を提供する。【００１１】
本発明の第１態様によれば、電子機器の筐体に取り付けて使用され、前記電子機器の筐体から露出して設けられているディスプレイの表示面を保護する電子機器のディスプレイ用保護板であって、
板状の透明基体と、
前記透明基体の下側に設けられ、チント処理された金属薄膜で構成されたカラーハーフミラー層と、
前記カラーハーフミラー層の下面に設けられ、電気的に透過・不透過を切り換え可能な透光切り換えフィルムと、
前記透光切り換えフィルムの下面に設けられ、高屈折率膜と低屈折率膜とを交互に積層した複合膜である透明な増反射膜層と、
前記増反射膜層の下面に空気層を介さないように密着して設けられ、前記ディスプレイの露出部分を除く部分に設けられた裏押さえ層とが順次積層して構成されていることを特徴とする、電子機器のディスプレイ用保護板を提供する。【００１２】
本発明の第２態様によれば、前記透光切り換えフィルムは、ポリマー分散型液晶フィルムで構成され、電圧の印加により、透明と白色不透明とが切り替わるように構成されていることを特徴とする、第１態様の電子機器のディスプレイ用保護板を提供する。【００１３】
本発明の第３態様によれば、前記透光切り換えフィルムは、電圧印加時に白色不透明であり、非印加時に透明となることを特徴とする、第２態様の電子機器のディスプレイ用保護板を提供する。【００１４】
本発明の第４態様によれば、前記増反射膜層が、透明無機酸化物からなる誘電体膜を積層したものである、第１態様の電子機器のディスプレイ用保護板を提供する。【００１５】
本発明の第５態様によれば、前記カラーハーフミラー層を、チント処理された金属薄膜に替えて、チント処理された別の増反射膜で構成した第１態様の電子機器のディスプレイ用保護板を提供する。【００１６】
本発明の第６態様によれば、前記カラーハーフミラー層は透明なフィルムの表面に設けられ、当該フィルムの前記カラーハーフミラー層が設けられていない側の面が前記透明基体の表面に密着するように、前記透明フィルムと前記透明基体とが貼着されることにより形成されることを特徴とする、第１態様のディスプレイ用保護板を提供する。【００１７】
本発明の第７態様によれば、前記裏押さえ層は、黒色のベタパターンで構成されていることを特徴とする、第１態様のディスプレイ用保護板を提供する。【００１８】
本発明の第８態様によれば、筐体表面に第１態様のディスプレイ用保護板を取り付けた電子機器であって、
前記透光切り換えフィルムの透過・不透過を切り換えるフィルム状態切換部と、
前記ディスプレイの表示状態を制御するディスプレイ制御部と、
前記電子機器の状態に応じて前記ディスプレイ制御部とフィルム状態切換部の動作を異ならせる主制御部を有し、
前記電子機器の状態に応じて前記保護板のデザインが異なることを特徴とする電子機器を提供する。
【発明の効果】
【００１９】
本発明によれば、前記カラーハーフミラー層の下面に設けられた透光切り換えフィルムの透過・不透過を切り換えることによって、その下に設けられている増反射膜層及び裏押さえ層さらにディスプレイの露出、隠蔽が切り換えられる。すなわち、透光切り換えフィルムが不透過のときは、外部から入射した光は透光切り換えフィルムの表面で反射されるため、増反射膜及び裏押さえ層が外部から隠蔽され、視認されることがない。結果として、電子機器の外観はカラーハーフミラー層による外観となる。一方、透光切り換えフィルムが透過のときは、その下に存在する増反射膜層及び裏押さえ層が視認され、増反射膜層及び裏押さえ層によるハーフミラーのような外観となる。なお、このとき、増反射膜層及び裏押さえ層によって呈される加飾は、カラーハーフミラー層のチントと異なる色相にしてもよい。かかる場合は、投光切り換えフィルムが透明の状態であり、電子機器の外観は両者の色相が混色したものとなる。したがって、透光切り換えフィルムによる透過・不透過を切り換えることで、カラーハーフミラー層の見た目を異ならせることができ、デザイン的に優れた保護板を提供することができる。【００２０】
また、透光切り換えフィルムをポリマー分散型液晶フィルムで構成することにより、簡単に透過、不透過の切り換えを行うことができる。また、電圧非印加時に不透過とすることにより、ディスプレイを隠蔽することができるため、待機時及び電源オフ時の消費電力を少なくすることができる。【００２１】
また、筐体表面に保護板を取り付けた電子機器においては、例えば、電源オフ状態、待機状態、ディスプレイ表示状態などの電子機器の状態に応じて保護板のデザインを異ならせることができる。したがって、保護板の状態を見ることによって、電子機器の状態を一見して判別することができる。
【図面の簡単な説明】
【００２２】
本発明のこれらと他の目的と特徴は、添付された図面についての好ましい実施形態に関連した次の記述から明らかになる。この図面においては、
【図１】図１は、本発明の一実施形態に係る電子機器のディスプレイ用保護板を搭載した携帯電話端末の外観構成図であり、
【図２】図２は、図１の携帯電話端末の上側本体の断面図であり、
【図３Ａ】図３Ａは、図１の携帯電話端末の上側本体の反射光沢が強調されたときの表示状態の例を示す図であり、
【図３Ｂ】図３Ｂは、図１の携帯電話端末の上側本体の表面がカラーハーフミラーのような外観を有し、ディスプレイが消灯状態である場合の表示状態の例を示す図であり、
【図３Ｃ】図３Ｃは、図１の携帯電話端末の上側本体の表面がカラーハーフミラーのような外観を有し、ディスプレイが表示状態である場合の表示状態の例を示す図であり、
【図４】図４は、本実施形態にかかる保護板の断面構成を示す模式図であり、
【図５】図５は、本実施形態にかかる保護板の断面構成の変形例を示す模式図であり、
【図６Ａ】図６Ａは、電圧非印加時のポリマー分散型液晶フィルムの状態を示す図であり、
【図６Ｂ】図６Ｂは、電圧印加時のポリマー分散型液晶フィルムの状態を示す図であり、
【図７】図７は、図１の携帯電話端末のディスプレイ用保護板のデザインを変化させる機能に着目した携帯電話端末の機能ブロック図である。
【発明を実施するための最良の形態】
【００２３】
以下、本発明の一実施形態に係る電子機器のディスプレイ用保護板を搭載した携帯電話端末について、図面を参照しながら説明する。【００２４】
図１は、本発明の一実施形態に係る電子機器のディスプレイ用保護板を搭載した携帯電話端末の外観構成図である。図２は、図１の携帯電話端末の上側本体の断面図である。携帯電話端末１は、上側本体２と下側本体３とを備えており、上側本体２が下側本体３に対して矢印５０に示すようにスライドすることによって、下側本体３の開閉を切り換えすることができるようになっている。【００２５】
上側本体２には、液晶ディスプレイ４が設けられており、液晶ディスプレイ４を保護するために、保護板５が筐体７の表面全体にわたって貼付されている。上側本体２の筐体７は箱状に構成されており、液晶ディスプレイパネル８を内部に収納する。液晶ディスプレイパネル８が筐体の開口９から露出した部分が外部から視認可能なディスプレイ４を構成する。液晶ディスプレイパネル８は、何も表示しない状態において、黒色となるようなノーマリーブラックの液晶パネルが用いられている。【００２６】
保護板５は、筐体７の表面に取り付けられ筐体全体を被覆することでディスプレイ４を保護すると共に、上側本体２に意匠性を与える。なお、図２では、液晶ディスプレイパネル８の表面と保護板５との間に空気層９が存在するが、この空気層は必ずしも設けられていなくてもよい。【００２７】
下側本体３には、操作ボタン６が設けられており、開状態において露出し、入力可能になっている。すなわち、上側本体２は、下側本体の操作ボタン６の保護部材としての機能も有する。【００２８】
上側本体２が閉状態のとき、すなわち、下側本体の操作ボタン６が被覆されて入力できない状態のとき、携帯電話端末は待機状態となっている。また、上側本体２が開状態のとき、すなわち、操作ボタン６が露出して、入力可能な状態のとき、携帯電話端末１は使用状態となっており、そのときの状態などがディスプレイ４に表示される。したがって、上側本体２の表面を被覆する保護板５は、携帯電話端末の状態に応じて変化するディスプレイ４の表示に対応した外観を有する。【００２９】
本実施形態では、携帯電話端末の上側本体２の表示態様は、図３に示す３つの表示デザインを切り換えることができる。図３Ａに示す態様は、上側本体２の表面全体が反射光沢が強調された加飾状態であり、保護板５によって被覆されるディスプレイ４は視認することができない状態である。この状態は、後述するカラーハーフミラー層の下にあるポリマー分散型液晶フィルム１３が不透過であるため、その上のカラーハーフミラー層の反射が強調される状態となっている。図３Ｂに示す態様は、上側本体２の表面全体がカラーハーフミラーのような外観を有しており、極薄くディスプレイ４の存在が視認可能となっている状態である。この状態は、カラーハーフミラー層の下にあるポリマー分散型液晶フィルム１３が透明であるため、カラーハーフミラー層の反射よりも、その下に存在する増反射膜層及び裏押さえ層が表面から視認され、その色が表面に浮き出した状態となっている。図３Ｃに示す態様は、上側本体の表面全体がカラーハーフミラーのような外観を有しており、ディスプレイ４が表示されている状態である。この状態は、上記の通り、カラーハーフミラー層の下に存在する増反射膜層及び裏押さえ層が表面から視認され、さらにディスプレイ４が表示されている加飾状態である。本実施形態にかかる携帯電話端末は、次の構成を有することによって、これらの状態を切り換えることができる。【００３０】
図４は、本実施形態にかかる保護板の断面構成を示す模式図である。図５は、本実施形態にかかる保護板の断面構成の変形例を示す模式図である。保護板５は、板状の透明基体１１と、透明基体１１の下側に設けられたチント処理された金属薄膜で構成されたカラーハーフミラー層１２と、カラーハーフミラー層１２の下面に設けられて、透過不透過を切り換え可能な透光切り換えフィルムの例であるポリマー分散型液晶フィルム１３と、ポリマー分散型液晶フィルム１３の下面に設けられて、高屈折率膜と低屈折率膜とを交互に積層した複合膜である透明な増反射膜層２０と、前記増反射膜層の下面に空気層を介さないように密着し、ディスプレイパネル８の露出部分を除く部分に設けられた裏押さえ層１４とが順次積層して設けられている。【００３１】
なお、図４は、透明基体１１の表面に直接ハーフカラーミラー層１２が付されたポリマー分散型液晶フィルム１３とが透明接着剤（図示省略）で貼り合わされた例であり、図５は、透明基体１１と、ハーフミラー層を表面に設けたハーフミラーフィルムと、ポリマー分散型液晶フィルムの表面に透明接着剤を付した接着フィルムとをそれぞれ貼り合わせた例を示している。【００３２】
透明基体１１は、透視性に優れディスプレイを破損から保護可能な板状部材である。透明基体１１の表面には、任意の模様を付してもよい。透明基体１１は、合成樹脂又は強化ガラスなどで構成される。例えば、合成樹脂としては、ポリスチレン形樹脂、ポリオレフィン系樹脂、ＡＢＳ樹脂、ＡＳ樹脂、アクリル系樹脂、ＡＮ樹脂などの汎用樹脂を挙げることができる。また、ポリフェニレンオキシド・ポリスチレン系樹脂、ポリカーボネート系樹脂、ポリアセタール系樹脂、ポリカーボネート変性ポリフェニレンエーテル樹脂、ポリブチレンテレフタレート樹脂、超高分子量ポリエチレン樹脂などの汎用エンジニアリング樹脂や、ポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を用いることができる。なお、透明基体１１は、板状の部材であるが、ここで板状とは、図示した平板状のものに限定されず、曲面を有した薄型成形品をも含むものである。【００３３】
また、透明基体１１に強化ガラスを用いる場合は、材質については特に限定されるものではないが、汎用のいわゆる青ガラスよりも、機械的強度などをより一層優れた白色ソーダガラス（いわゆる白ガラス）を用いることが好ましい。強化ガラスの製造方法（強化加工の方法）については、特に限定されるものではないが、通常、１ｍｍ前後の板厚ガラスを用いるケースが多いため、イオン交換による強化方法を採用するのが好ましい。イオン交換により強化された化学強化ガラスは、前述のように風冷強化ガラスよりもより一層大きな圧縮応力を示す。【００３４】
透明基体１１の厚みは、特に限定されるものではないが、軽量化を図りつつ、十分な強度特性を維持するという観点から０．３から１．１ｍｍ程度、より好ましくは、０．５から０．８ｍｍとすることが好ましい。【００３５】
カラーハーフミラー層１２は、ポリマー分散型液晶フィルム１３の表面に設けられており、接着剤などで透明基体１１の裏面に接着される。図４に示すようにポリマー分散型液晶フィルム１３の表面に直接設けられていてもよいし、図５に示すように、ポリマー分散型液晶フィルム１３とは別に構成された透明フィルム１６の裏面にカラーハーフミラー層１２が設けられたハーフミラーフィルム１７を、透明接着剤１８によりポリマー分散型液晶フィルム１３に貼り合わせて設けられていてもよい。また、透明フィルム１６とカラーハーフミラー層１２とは、積層の順序を入れ替えてもよい。【００３６】
ハーフミラーフィルム１７を構成する透明フィルム１６としては、ポリカーボネート系、ポリアミド系、ポリエーテルケトン系などのエンジニアリングプラスチック、アクリル、ポリエチレンテレフタレート系、ポリブチレンテレフタレート系などの樹脂を用いることができる。【００３７】
カラーハーフミラー層１２は、チント処理された金属薄膜で構成される。チントとは、透明なカラーインキを意味するものであり、ごく低濃度の顔料インキ又は染料インキなどが例示される。チント処理の具体的な例としては、ポリマー分散型液晶フィルム１３の表面にアルミニウム、クロム、スズ、インジウムなどの金属薄膜を蒸着などの手段で形成し、その上にチント処理として極低濃度の顔料をグラビア印刷で塗布する。また、透明フィルム１６の表面に金属薄膜層を形成し、その上にグラビア印刷を施してもよい。また、別のチント処理として、前記透明フィルム１６として有色透明の樹脂フィルムを用いてもよい。このとき、有色透明の樹脂フィルムは、付与したい色目のものを用いてもよい。例えば、銀光沢を有する金属薄膜に対し、黄色の透明フィルム１６を組み合わせると、金色の表面光沢を得ることができる。【００３８】
金属薄膜は、例えば、真空蒸着法、スパッタリング法、ＣＶＤ法、ロールコーター法などによって形成することができる。なお、金属薄膜は、消灯状態のディスプレイを隠蔽するが、表示状態の明るいディスプレイの表示を透過できる程度の膜厚に構成されていることが好ましい。また、金属薄膜は、透光率６０〜８０％程度に形成することが好ましい。【００３９】
ポリマー分散型液晶フィルム１３は、電圧の印加の有無によって、不透過状態と透過状態を切り換えることができるフィルムであり、印加される電圧を変化させることにより自由に透過度を変化させることができる。ポリマー分散型液晶フィルム１３は、図６Ａ，図６Ｂに示すように、ネマティック液晶４１のカプセル４０が分散した透明ポリマーフィルム４２を２枚の透明導電膜付きフィルム４３に挟んだ構成を有する。【００４０】
ポリマー分散型液晶フィルム１３は、上記構成のフィルムの表面に透明接着剤１８を塗布した接着フィルム１９として用いられ、上記ハーフミラーフィルム１７の表面に貼付される。【００４１】
図６Ａに示すように、電圧が印加されていない状態では、棒状の分子を有する液晶４１は、カプセル４０の内壁に沿って並ぶので、フィルムで入射した光Ｌはポリマーと液晶の屈折率の違い及び液晶の複屈折性によってカプセル４０の表面や内部で屈折する。その結果、光Ｌが直進できず散乱し、フィルムが白色に見える。【００４２】
一方、図６Ｂに示すように、電圧が印加されている状態では、液晶分子４１が電圧を印加した方向に並ぼうとするため、電極に対して垂直に配列する。この状態では、カプセル４０の界面がないのに等しい状態となり、入射した光Ｌは散乱せず直進する。その結果、フィルムが透明に見える。【００４３】
増反射膜層２０は、透明な増反射膜から構成される。具体的には、高屈折率膜と低屈折率膜とを交互に積層した複合膜で形成することができる。この複合膜は、高屈折率膜と低屈折率膜との界面で起こる光の干渉により、ある特定の波長の光の反射を多くするものである。増反射膜層２０を６０％以上の高反射とすると、色目を付けることができる。高屈折率膜と低屈折率膜との組み合わせとしては、TiO2膜とSiO2膜等が好ましい。また、複合膜は、各層が１００ｎｍ以下で、付与したい色目に応じて適宜３層から１０層で形成すればよい。複合膜の形成方法としては、ＥＢ蒸着法やスパッタリング法などがある。【００４４】
裏押さえ層は、増反射膜層２０の下面に空気層を介さないように密着して設けられることが好ましい。空気層がある場合、界面で反射が生じ、裏押さえされた部分が白く見えてしまう。【００４５】
裏押さえ層１４は、ベタパターンで構成される。本実施形態では、消灯時の液晶ディスプレイパネル８の色に合わせるために黒色のベタパターンが採用されている。消灯時の液晶ディスプレイパネルの色と裏押さえ層１４の色を合わせることにより、液晶ディスプレイパネル８の消灯時に裏押さえ層１４を設けた部分とディスプレイ４の露出部分との境界を視認しにくくすることができる。【００４６】
ポリマー分散型液晶フィルム１３は、シャッター効果により、視認される保護板５のハーフミラー層１２を通して見える色を異ならせることができる。すなわち、ポリマー分散型液晶フィルム１３が不透過状態のときは、白色のポリマー分散型液晶フィルム１３によって、ポリマー分散型液晶フィルム１３に到達した光が反射され、白色背景上のカラーハーフミラー層１２をみることとなる。一方、ポリマー分散型液晶フィルム１３が透過状態のときは、ポリマー分散型液晶フィルム１３が透明であるので、入射した光は、カラーハーフミラー層１２及びポリマー分散型液晶フィルム１３を透過し、裏押さえされた増反射膜層２０のカラー反射光を視認できる。カラーハーフミラー層１２と増反射膜層及び裏押さえ層１４により構成される反射加飾の色を異ならせることにより、両者の色が混色して別の色調とすることもでき、種々の色の変化を与えることができる。【００４７】
すなわち、本実施形態にかかる電子機器のディスプレイ用保護板を搭載した携帯電話端末１は、液晶ディスプレイの表示状態及びポリマー分散型液晶フィルム１３の透過、不透過の状態を切り換えることによって、上記説明の通り、保護板５により付される意匠性を図３Ａ、図３Ｂ，図３Ｃに示す各状態を互いに切り換えることができる。【００４８】
すなわち、図３Ａに示す状態では、液晶ディスプレイ８を消灯し、ポリマー分散型液晶フィルム１３を不透過状態とすることにより、白色背景上のカラーハーフミラー層１２が視認されることになり、全体がカラーハーフミラー層１２によって着色された鏡状に反射光沢を有する状態となる。図３Ｂに示す状態では、液晶ディスプレイ８を消灯し、ポリマー分散型液晶フィルム１３を透過状態とすることにより、増反射膜層２０及び裏押さえ層１４により構成される色の背景のハーフミラーの外観とすることができる。【００４９】
本実施形態にかかる電子機器のディスプレイ用保護板を搭載した携帯電話端末１は、携帯電話端末１の状態に応じて保護板５により付される意匠性を異ならせることによって、携帯電話端末１の状態を一見して判別することができるようにすることができる。【００５０】
また、本実施形態にかかる電子機器のディスプレイ用保護板は、前記カラーハーフミラー層１２を、チント処理された金属薄膜に替えて、チント処理された増反射膜で構成することもできる。すなわち、ポリマー分散型液晶フィルム１３の前後をチント処理された増反射膜、透明な増反射膜で挟む構成である。この構成は、金属材料を含まないため、保護板に電波透過性が要求される場合に適している。カラーハーフミラー層１２に用いる増反射膜には、前記増反射膜層２０の構成、形成方法を適用することができる。また、増反射膜のチント処理には、金属薄膜のチント処理が適用できる。なお、カラーハーフミラー層１２に用いる増反射膜は、消灯状体のディスプレイを隠蔽するが、表示状態の明るいディスプレイの表示は透過してできる程度の膜厚に構成されていることが好ましい。また、カラーハーフミラー層１２に用いる増反射膜は、透光率６０から８０％程度に形成することが好ましい。【００５１】
図７は、図１の携帯電話端末のディスプレイ用保護板のデザインを変化させる機能に着目した携帯電話端末の機能ブロック図である。この制御系３０は、以下の各機能ブロックからの検出信号に基づいて携帯電話端末１の状態を判断し、全体の制御を司る制御部３１、上側本体の開閉状態を判断するための開閉判断部３２，液晶ディスプレイパネル８の表示、非表示状態を制御するディスプレイ制御部３３，下側本体３の操作ボタン６の入力が行われたか否かを検知するスイッチ入力部３４，ポリマー分散型液晶フィルム１３に印加する電圧を制御するフィルム電圧印加部３５を備える。制御部３１は、開閉判断部３２及びスイッチ入力部３４からの検出信号に基づいて携帯電話端末１の状態を判断し、ディスプレイ制御部３３，フィルム電圧印加部３５の状態を制御する。【００５２】
携帯電話端末は、表１及び表２に示すように、携帯電話端末の状態に応じて、ディスプレイ用保護板のデザインを変化させる。待機状態、電源ＯＦＦの状態、表示状態でディスプレイ用保護板のデザインが変化する。なお、表１は、増反射膜層とハーフカラーミラー層により呈される色相がともに青系色の類似色である場合の電子機器の見え方、表２は、増反射膜層とハーフカラーミラー層により呈される色相がそれぞれ青色及びオレンジ色であり別の色である場合の電子機器の見え方である。【００５３】
【表１】
2009008402.tif 000003
【００５４】
【表２】
2009008402.tif 000004
【００５５】
表１，表２に示すように、電源ＯＦＦの状態では、図３Ａに示す全体がカラーハーフミラー層１２によって鏡状に反射光沢を有する状態となる。このときには、ディスプレイ制御部３３によりディスプレイが消灯状態となっており、また、ポリマー分散型液晶フィルム１３に電圧が印加されず、白濁した不透過の状態となってディスプレイを隠蔽しているため、パネルの見え方は、カラーハーフミラー層１２の色となる。【００５６】
待機状態のときは、図３Ｂに示す全体が増反射膜によって呈される色のミラーとなっている状態となる。待機状態は、携帯電話端末１の電源がオンになっており、スイッチ入力部３４から所定時間に何も入力されない状態である。この状態では、フィルム電圧印加部３５は、ポリマー分散型液晶フィルム１３に電圧が印加されて透明となっており、増反射膜層２０と裏押さえ層１４の黒地ハーフミラー２１によりパネル全体が増反射膜のミラー色となっている。カラーハーフミラー層１２と増反射膜層２０が表１に示すように同系色の場合、より増反射膜層２０に近い色となる。これに対し、カラーハーフミラー層１２と増反射膜層２０が表２に示すように異系色の場合、その混合色となる。また、液晶ディスプレイ４は、暗く表示されている状態又は消灯の状態となっており、極薄く視認することができる。【００５７】
表示状態では、図３Ｃに示す増反射膜ミラー色にディスプレイ４が表示されている状態となっている。表示状態には、待機状態において開閉判断部３２により上側本体が開状態となったこと又はスイッチ入力部３４によりスイッチの入力が検出された場合に切り替わることとなる。この状態では、フィルム電圧印加部３５は、ポリマー分散型液晶フィルム１３に電圧が印加されて、透明な状態となっており、裏押さえ層１４の黒地によりパネル全体が増反射膜のミラー色となっている。また、液晶ディスプレイ４は、明るく表示されている状態となっており、増反射膜のミラー色の背景に液晶ディスプレイを視認することができる。【００５８】
以上説明したように、本実施形態にかかる携帯電話端末は、携帯電話の状態に応じて、ディスプレイの表示及び液晶フィルムへ印加される電圧を制御することにより、カラーハーフミラーの背景の色を異ならせることで、保護板の意匠性を異ならせることができる。【００５９】
なお、本発明は上記実施形態に限定されるものではなく、その他種々の態様で実施可能である。
【産業上の利用可能性】
【００６０】
本発明にかかる電子機器のディスプレイ用保護板は、多くの電子機器に用いられているディスプレイを保護すると共に、電子機器の意匠性を高めることができる。【００６１】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図１】
2009008402.tif 000005
【図２】
2009008402.tif 000006
【図３Ａ】
2009008402.tif 000007
【図３Ｂ】
2009008402.tif 000008
【図３Ｃ】
2009008402.tif 000009
【図４】
2009008402.tif 000010
【図５】
2009008402.tif 000011
【図６Ａ】
2009008402.tif 000012
【図６Ｂ】
2009008402.tif 000013
【図７】
2009008402.tif 000014
【国際調査報告】
2009008402.tif 000015
2009008402.tif 000016
2009008402.tif 000017
2009008402.tif 000018